(57)【要約】【課題】リードの交換作業や取り付け状態の調整を容易かつ適切に行うことができるリード及びマウスピース、並びに、該マウスピースを備えた電子管楽器を提供する。【解決手段】マウスピース本体１１のリード組み付け部１３の所定の位置に載置して組み付けられたリード３１を固定するリード固定部１４を有し、リード固定部１４をリード３１方向に押圧して、リード固定部１４に設けられた一対のフック部２６をマウスピース本体１１側に係止させてロック状態にすることにより、リード３１がリード固定部１４とマウスピース本体１１とに挟み込まれた状態で固定される。また、リード３１がマウスピース本体１１に組み付け固定された状態において、リード固定部１４の一対のフック部２６を左右側から内方向に所定の力を加えて、フック部２６の係止状態を解除してオープン状態にすることにより、マウスピース本体１１からリード３１が取り外される。【選択図】図６
2018049051.tif 000002
【特許請求の範囲】
【請求項１】
マウスピース本体に組み付けるリードにおいて、
前記リードに含まれるリード部材に、前記マウスピース本体の所定の位置に着脱可能に組み付けるための位置決め部が設けられていることを特徴とするリード。
【請求項２】
前記位置決め部は、前記リード部材の外周となる側辺に設けられていることを特徴とする請求項１に記載のリード。
【請求項３】
前記リード部材は、帯状の絶縁性部材を有し、
前記位置決め部は、前記リード部材の長手方向に延在する一対の前記側辺に設けられていることを特徴とする請求項２に記載のリード。
【請求項４】
前記位置決め部は、前記リード部材の前記側辺から突出した形状を有していることを特徴とする請求項２又は３に記載のリード。
【請求項５】
前記リード部材に、センサ電極と、前記センサ電極に電気的に接続された接点とを有し、
前記接点は、前記位置決め部の近傍に設けられ、前記マウスピース本体に組み付けた状態で、前記マウスピース本体と電気的に接続することを特徴とする請求項１乃至４のいずれかに記載のリード。
【請求項６】
マウスピース本体にリードを組み付け可能な構造を有するマウスピースにおいて、
所定の力を加えることにより係止状態を解除可能な係止機構部を備え、前記係止機構部が前記マウスピース本体に係止することにより、前記リードを前記マウスピース本体に着脱可能に組み付け固定するリード組み付け固定部を有することを特徴とするマウスピース。
【請求項７】
前記リード組み付け固定部は、前記マウスピース本体に対して回動し、前記リード組み付け固定部と前記マウスピース本体とにより、前記リードに含まれるリード部材を一面及び他面の両面側から挟み込んだ状態で組み付け固定することを特徴とする請求項６記載のマウスピース。
【請求項８】
前記リード組み付け固定部は、前記係止機構部として、前記リードを前記マウスピース本体に組み付け固定した状態で、前記マウスピース本体に係止して、前記リード組み付け固定部の回動状態を制止するフック部を有していることを特徴とする請求項７に記載のマウスピース。
【請求項９】
前記リード組み付け固定部は、前記リードを前記マウスピース本体に組み付け固定した状態で、前記リードを所定の押圧力で前記マウスピース本体に押し付けるリード押圧部を有していることを特徴とする請求項７又は８に記載のマウスピース。
【請求項１０】
前記リード組み付け固定部は、前記マウスピース本体に係止する動作、及び、前記リード組み付け固定部と前記マウスピース本体とにより、前記リードを挟み込む動作を支援するための押圧支援部を有することを特徴とする請求項７乃至９のいずれかに記載のマウスピース。
【請求項１１】
前記リードは、第１の位置決め部を有し、
前記マウスピース本体は、前記リードの前記第１の位置決め部に嵌合又は係合する第２の位置決め部を有し、
前記第１の位置決め部が前記第２の位置決め部に嵌合又は係合することにより、前記リードを前記マウスピース本体の所定の位置に組み付け、前記リード組み付け固定部と前記マウスピース本体とにより前記リードを挟み込んだ状態で前記マウスピース本体に固定することを特徴とする請求項７乃至１０のいずれかに記載のマウスピース。
【請求項１２】
前記リード組み付け固定部は、特定の方向に挿入された前記リードに含まれるリード部材を、前記特定の方向の両側辺部分で挟み込んだ状態で組み付け固定することを特徴とする請求項６に記載のマウスピース。
【請求項１３】
前記リードは、第１の位置決め部を有し、
前記マウスピース本体は、前記リードの前記第１の位置決め部に嵌合又は係合する第２の位置決め部を有し、
前記第１の位置決め部が前記第２の位置決め部に嵌合又は係合して係止することにより、前記リード組み付け固定部に挿入された前記リードを前記マウスピース本体の所定の位置に組み付け固定することを特徴とする請求項１２に記載のマウスピース。
【請求項１４】
前記マウスピース本体は、息の吹込口側に設けられた開口部と、前記開口部内に配置された圧力センサと、一端側が前記開口部から突出し、他端側が前記圧力センサに接続されたセンサレバーと、を有し、
前記リードが前記マウスピース本体に組み付け固定された状態で、前記センサレバーの前記一端側が前記リードに当接し、前記リードに加わる圧力が前記センサレバーを介して前記圧力センサに伝達されることを特徴とする請求項６乃至１３のいずれかに記載のマウスピース。
【請求項１５】
前記請求項６乃至１４のいずれかに記載のマウスピースが、楽器本体に取り付けられていることを特徴とする電子管楽器。
【発明の詳細な説明】
【技術分野】
【０００１】
本発明は、電子管楽器のマウスピースの構造に関する。
【背景技術】
【０００２】
従来、サクソフォンやクラリネット等のアコースティック管楽器の形状や演奏方法を模した電子管楽器が知られている。このような電子管楽器の演奏においては、アコースティック管楽器と同様のキー位置に設けられたスイッチ（音高キー）を操作することにより楽音の音程が指定されるとともに、マウスピース内に吹き込む息の吹圧により音量が制御され、また、マウスピースを口に銜えたときの唇の位置や舌の接触状態、噛み圧等により音色が制御される。
【０００３】
従来の電子管楽器に適用されるマウスピースは、概略、マウスピース本体と、リードと、固定金具（リガチャー）とを有し、マウスピース本体に設けられた吹込口をわずかな隙を開けて塞ぐようにリードを配置して固定金具等で絞め付け固定されている。ここで、マウスピース本体やリードには、上述した演奏時に、マウスピースに吹き込まれる息の吹圧や唇の位置、舌の接触状態、噛み圧等を検出するための各種センサが設けられている。このようなリードを固定金具等で絞め付け固定したマウスピースの構造は、一般的なアコースティック管楽器においても用いられているものであり、電子管楽器の分野においては、例えば特許文献１にも記載されている。
【先行技術文献】
【特許文献】
【０００４】
【特許文献１】特開平７−７２８５３号公報
【発明の概要】
【発明が解決しようとする課題】
【０００５】
上述したように、管楽器は、マウスピースを口に銜えて演奏を行うため、リードやマウスピース本体に傷や変色、変形等の劣化が生じることがあるとともに、衛生面からもマウスピースを適宜分解、洗浄して清潔にする必要がある。ここで、リードをマウスピース本体に再び取り付ける際には、予め設定された位置に適切に配置して組み付ける必要がある。
【０００６】
また、演奏者によっては、演奏のスキルや個性、演奏曲等に応じて、リードの取り付け位置や取り付け時の固定金具の締め付け具合等を微調整したり、リードの材質や板厚、硬さ等、任意の特性を有するリードを選択して交換したりする場合がある。
【０００７】
ここで、特許文献１等に記載されたマウスピースにおいては、固定金具のネジを弛めてマウスピース本体からリードを取り外し、その後リードをマウスピース本体の所定の位置に配置して、固定金具のネジを締めて固定して組み付け直さなければならず、リードの交換作業や取り付け状態の調整が繁雑であるという問題を有していた。
【０００８】
そこで、本発明は、上述した問題点に鑑みて、リードの交換作業や取り付け状態の調整を容易かつ適切に行うことができるリード及びマウスピース、並びに、該マウスピースを備えた電子管楽器を提供することを目的とする。
【課題を解決するための手段】
【０００９】
本発明に係るリードは、
マウスピース本体に組み付けるリードにおいて、
前記リードに含まれるリード部材に、前記マウスピース本体の所定の位置に着脱可能に組み付けるための位置決め部が設けられていることを特徴とする。
【００１０】
本発明に係るマウスピースは、
マウスピース本体にリードを組み付け可能な構造を有するマウスピースにおいて、
所定の力を加えることにより係止状態を解除可能な係止機構部を備え、前記係止機構部が前記マウスピース本体に係止することにより、前記リードを前記マウスピース本体に着脱可能に組み付け固定するリード組み付け固定部を有することを特徴とする。
【００１１】
本発明に係る電子管楽器は、
上記のマウスピースが、楽器本体に取り付けられていることを特徴とする。
【発明の効果】
【００１２】
本発明によれば、電子管楽器のマウスピースにおいて、リードの交換作業や取り付け状態の調整を容易かつ適切に行うことができる。
【図面の簡単な説明】
【００１３】
【図１】本発明に係る電子管楽器の一例を示す外観図である。
【図２】本発明に係る電子管楽器に適用されるマウスピースの第１の実施形態を示す外観図及び部品図である。
【図３】第１の実施形態に係るマウスピースを示す詳細図である。
【図４】第１の実施形態に適用されるマウスピース本体の要部を示す斜視図である。
【図５】第１の実施形態に適用されるリードを示す詳細図である。
【図６】第１の実施形態に係るマウスピースの組み付け方法の一例を示す図である。
【図７】第１の実施形態に係るマウスピースの組み付け方法におけるフック部の係止機構を説明するための断面詳細図である。
【図８】本発明に係る電子管楽器に適用されるマウスピースの第２の実施形態を示す外観図及び部品図である。
【図９】第２の実施形態に係るマウスピースを示す詳細図である。
【図１０】第２の実施形態に適用されるリードを示す詳細図である。
【図１１】第２の実施形態に係るマウスピースの組み付け方法の一例を示す図である。
【発明を実施するための形態】
【００１４】
以下、本発明に係るリード、マウスピース及び電子管楽器の実施形態について図面を参照しながら詳しく説明する。
（電子管楽器）
まず、本発明に係る電子管楽器について簡単に説明する。
図１は、本発明に係る電子管楽器の一例を示す外観図である。
【００１５】
本発明が適用される電子管楽器１００は、例えば図１に示すように、サクソフォン型の外形を有し、管状の楽器本体１の一端側（図面上方端側）にマウスピース１０が取り付けられ、他端側（図面下方端側）に楽音が放出される放音部２が設けられている。また、楽器本体１の一側面（図面右方側の側面）には、運指操作により音高を指定する操作子３が複数配置されるとともに、他の側面（図面手前側の側面）には、電子管楽器１００の電源をオン、オフするための電源スイッチや演奏状態を制御するための各種の操作スイッチを有する操作部４が設けられている。また、楽器本体１の放音部２側の内部には、楽音を発生するスピーカ５が設けられている。また、図示を省略するが、楽器本体１には、マウスピース１０からの各種のセンサ信号や、操作子３における運指信号、操作部４からの制御信号に基づいて、スピーカ５から発生する楽音の音程や音量、音色等を制御する制御部が設けられている。
【００１６】
なお、図１においては、サクソフォン型の外形を有する電子管楽器１００を示したが、本発明に係る電子管楽器はこれに限定されるものではなく、後述するマウスピース１０と同等の構造や技術思想を有するマウスピースを適用するものであれば、クラリネット等の他のアコースティック管楽器を模した外形を有するものであってもよい。
【００１７】
＜第１の実施形態＞
図２は、本発明に係る電子管楽器に適用されるマウスピースの第１の実施形態を示す外観図及び部品図である。ここで、図２（ａ）は、本実施形態に係るマウスピースの一例を示す斜視図であり、図２（ｂ）は、本実施形態に適用されるマウスピース本体の一例を示す斜視図であり、図２（ｃ）は、本実施形態に適用されるリードの一例を示す斜視図である。
【００１８】
また、図３は、本実施形態に係るマウスピースを示す詳細図である。ここで、図３（ａ）、（ｂ）は、それぞれマウスピースの上面、側面を示す図であり、図３（ｃ）は、図３（ａ）に示したマウスピースにおけるIIIＡ−IIIＡ断面（本明細書においては図３（ａ）中に示したローマ数字の「３」に対応する記号として便宜的に「III」を用いる。）の構造を示す概略図である。図３（ｄ）は、図３（ｃ）に示したマウスピースにおけるIIIＢ−IIIＢ断面の構造を示す概略図であり、図３（ｅ）は、図３（ｃ）に示したマウスピースにおけるIIIＣ−IIIＣ断面の構造を示す概略図である。
【００１９】
また、図４は、本実施形態に適用されるマウスピース本体の要部を示す斜視図であり、図５は、本実施形態に適用されるリードを示す詳細図である。ここで、図５（ａ）〜（ｃ）は、それぞれリードの上面（一面）、側面、下面（他面）を示す図であり、図５（ｄ）は、リードに設けられるセンサ電極、接点及び配線を示す図である。
【００２０】
第１の実施形態に係るマウスピース１０は、図２（ｂ）、（ｃ）に示すように、マウスピース本体１１と、リード３１と、を有し、これらが図２（ａ）、図３（ａ）〜（ｃ）に示すように、マウスピース本体１１とリード３１とにより形成される吹込口１２ａにわずかな隙を有するように組み付けられている。
【００２１】
（マウスピース本体）
本実施形態に適用されるマウスピース本体１１は、例えば図２（ｂ）及び図４に示すように、大別して、開口部１２と、リード３１が載置されて組み付けられるリード組み付け部１３と、リード３１をマウスピース本体１１に固定するためのリード固定部１４と、リード３１と電気的に接続するための本体側の接点１５と、電子回路１６と、コネクタ部１７と、を有している。また、図示を省略したが、マウスピース本体１１は、演奏時における様々な状態を検出するための各種センサを有している。ここで、リード組み付け部１３及びリード固定部１４は、本発明におけるリード組み付け固定部に対応する。
【００２２】
具体的には、図２（ｂ）及び図４に示すように、マウスピース本体１１においてリード３１が載置される領域（リード載置領域）を有するリード組み付け部１３の吹込口１２ａ側の領域には、開口部１２が設けられている。また、リード組み付け部１３のリード載置領域において後述するリード固定部１４が対向する領域、又は、その近傍の領域には、リード３１の組み付け位置を規定する本体側の位置決め部（第２の位置決め部）１３ａと、リード３１に電気的に接続するための本体側の接点１５と、が設けられている。
【００２３】
位置決め部１３ａは、リード組み付け部１３にリード３１を載置した際に、後述するリード３１に使用される帯状のリード部材３２の両側辺に設けられたリード側の位置決め部（第１の位置決め部）３３が嵌合又は係合するように設けられている。具体的には、例えば図２（ｂ）、（ｃ）、図４に示すように、マウスピース本体１１のリード組み付け部１３のリード載置領域に設けられた本体側の接点１５の近傍であって、リード載置領域を挟んで対向する位置に、リード３１側の両側辺に設けられた凸状の位置決め部３３が嵌合又は係合するように、一対の凹状の位置決め部１３ａが設けられている。これにより、リード組み付け部１３における本体側の接点１５近傍のリード３１の長手方向（図５（ａ）〜（ｃ）の左右方向）及び短手方向（図５（ａ）、（ｃ）の上下方向）の組み付け位置が規定される。
【００２４】
また、リード組み付け部１３には、上記の位置決め部１３ａに加え、例えば図２（ｂ）、図４に示すように、リード３１を載置した際に、リード部材３２の両側辺の少なくとも一部に当接して、リード３１の組み付け位置を規定するように、リード組み付け部１３のリード載置領域を挟んで対向する位置に、マウスピース本体１１から突出した一対のガイド部１３ｂが設けられている。これにより、リード組み付け部１３における開口部１２近傍のリード３１の短手方向（図５（ａ）、（ｃ）の上下方向）の組み付け位置が規定される。
【００２５】
開口部１２の内部には、例えば図２（ｂ）、図３（ｃ）、（ｅ）、図４に示すように、演奏者がマウスピース１０を口に銜えた際にリード３１を噛む圧力（リード噛み圧）を検出するための噛み圧センサ２１と、一端側が開口部１２から突出してリード３１に当接し、リード３１に加わるリード噛み圧を他端側により噛み圧センサ２１に伝達する可動式のセンサレバー２２と、が設けられている。具体的には、例えば図３（ｃ）に示すように、センサレバー２２は開口部１２の内部に設けられたレバー回転軸２３を中心にしてマウスピース本体１１に対して回動するように支持されている。これにより、演奏者がマウスピース１０を口に銜えて、任意の圧力（リード噛み圧）でリード３１を噛むことにより、リード３１に当接したセンサレバー２２が回動して、当該リード噛み圧が圧力センサである噛み圧センサ２１に伝達されて検出される。
【００２６】
また、図示を省略したが、開口部１２の内部には、演奏者がマウスピース１０を口に銜えて吹き込んだ息の吹圧を検出する圧力センサからなる吹圧センサが設けられている。噛み圧センサ２１や吹圧センサにより検出された演奏状態に関するセンサ信号は、後述する電子回路１６により電子管楽器１００の制御部に送出される。
【００２７】
リード固定部１４は、例えば図２（ａ）、（ｂ）及び図４中の矢印に示すように、リード組み付け部１３のリード載置領域を挟んで対向するマウスピース本体１１の側面に設けられた固定部回転軸１４ａを中心にしてマウスピース本体１１に対して回動するように支持されている。これにより、リード固定部１４は、リード組み付け部１３のリード載置領域の所定の領域に覆い被さるように回動して、リード組み付け部１３に載置されたリード３１を固定する。
【００２８】
また、リード固定部１４には、リード組み付け部１３のリード載置領域に対向するように、リード組み付け部１３に載置されたリード３１をリード載置領域に押し付けて固定するためのリード押圧部１４ｂが設けられている。リード押圧部１４ｂは、例えば図３（ｄ）、図４に示すように、平板状の部材がリード固定部１４に対してスプリング１４ｃを介して支持され、リード組み付け部１３に載置されたリード３１の方向（図３（ｄ）の下方向）に付勢されるように設けられている。これにより、リード３１がマウスピース本体１１に組み付け固定された状態においては、リード固定部１４のリード押圧部１４ｂによりリード３１が所定の押圧力でリード組み付け部１３のリード載置領域に押し付けられて、リード部材３２の上下両面側から挟み込まれた状態で固定される。ここで、スプリング１４ｃには、圧縮コイルバネを適用することができるほか、スプリング（コイルバネ）に替えて所定の弾性力を有する部材を適用するものであってもよい。
【００２９】
また、リード固定部１４の上面側（図３（ｂ）〜（ｄ）の上面側）の略中央には、リード固定部１４を回動させて、リード押圧部１４ｂによりリード３１をリード組み付け部１３のリード載置領域に押し付けて固定する動作を支援するための押圧支援部１４ｄが設けられている。押圧支援部１４ｄは、例えば図２（ａ）、（ｂ）、図３（ｂ）〜（ｅ）に示すように、リード固定部１４の上面側の他の部材よりも外方に突出した湾曲形状を有している。これにより、演奏者等がマウスピース本体１１にリード３１を組み付け固定する際に、リード固定部１４から突出した押圧支援部１４ｄを指の腹等で押圧する簡易な操作を行うことにより、リード固定部１４を回動させてリード３１をリード組み付け部１３に押し付けて固定する動作（作業）が支援される。
【００３０】
また、リード固定部１４には、例えば図２（ｂ）、図３（ｅ）、図４に示すように、押圧支援部１４ｄを挟んで対向する位置に、リード組み付け部１３にリード３１を組み付けて固定した状態を保持するための可動式のフック部２６が、リード固定部１４の側部（図３（ｅ）の左右両側部）に対向するように一対設けられている。ここで、フック部２６は、本発明における係止機構部に対応する。
【００３１】
フック部２６の係止機構については、詳しく後述するが、例えば図３（ｅ）に示すように、フック回転軸２７を中心にしてリード固定部１４に対して回動するように支持されたフック部材の一端側（図面上方側）がリード固定部１４に対してスプリング２８を介して支持され、他端側（図面下方側）のリード固定部１４の内方向側に係止切欠部２６ａが設けられている。ここで、スプリング２８には、圧縮コイルバネを適用することができる他、スプリング（コイルバネ）に替えて所定の弾性力を有する部材を適用するものであってもよい。
【００３２】
フック部２６の一端側はスプリング２８により、リード固定部１４の側部から外方向（図３（ｅ）中の矢印Ｆ方向）に付勢されることにより、フック部２６が回動して、係止切欠部２６ａが設けられたフック部２６の他端側がリード固定部１４の内方向（図３（ｅ）中の矢印Ｐ方向）に付勢される。すなわち、一対のフック部２６は、通常状態（初期状態）においては、一端側に加わるスプリング２８の付勢力により、係止切欠部２６ａが設けられた他端側相互が近接した「閉状態」を保持する。これにより、リード３１がマウスピース本体１１に組み付け固定された状態においては、図３（ｅ）に示すように、一対のフック部２６の係止切欠部２６ａがマウスピース本体１１の側面に設けられたフック係止部１１ａに係止され、リード固定部１４の回動が制止された状態を保持する。
【００３３】
一方、スプリング２８の付勢力に対抗して、フック部２６の一端側にリード固定部１４の内方向に力を加えることにより、あるいは、他端側相互を離間させるように押し広げる力を他端側に加えることにより、他端側相互が離間した「開状態」に移行する。これにより、一対のフック部２６の係止切欠部２６ａがフック係止部１１ａに係止された状態が解除されて、リード固定部１４の回動が可能な状態になり、マウスピース本体１１からリード３１を取り外すことが可能となる。このようなフック部２６の係止機構により、マウスピース本体１１へのリード３１の組み付け固定が着脱可能になる。
【００３４】
本体側の接点１５は、複数の電極ピンの一端側がリード組み付け部１３のリード載置領域に露出して設けられ、他端側が後述する電子回路１６に電気的に接続されている。これにより、リード３１がマウスピース本体１１に組み付け固定された状態においては、例えば図３（ｃ）、（ｄ）に示すように、リード載置領域に露出する接点１５の電極ピンの一端側（図面上端側）がリード３１に設けられた接点３５の各電極パッドに電気的に接続した状態が保持されて、リード３１に設けられたセンサ電極３４により検出される唇の位置や舌の接触状態に関するセンサ信号が電子回路１６により取得される。
【００３５】
電子回路１６は、マウスピース本体１１に内蔵された噛み圧センサ２１や吹圧センサ、リード組み付け部１３のリード載置領域に設けられた本体側の接点１５に電気的に接続されている。これにより、電子回路１６は、演奏者がマウスピース１０を口に銜えた際に噛み圧センサ２１や吹圧センサにより検出されるリード噛み圧や息の吹圧に関するセンサ信号を取得するとともに、後述するリード３１に設けられたセンサ電極３４により検出される唇の位置や舌のリード３１への接触状態に関するセンサ信号を接点１５を介して取得し、電子管楽器１００の制御部に送出する。
【００３６】
コネクタ部１７は、図１に示したように、マウスピース１０を楽器本体１に取り付けるとともに、マウスピース１０と楽器本体１とを電気的に接続する。これにより、電子回路１６により取得された演奏状態に関するセンサ信号等が、コネクタ部１７を介して電子管楽器１００の制御部に送出される。なお、マウスピース１０から楽器本体１の制御部に送出されたセンサ信号等は、制御部において、所定の楽音の生成や任意の音源エフェクト処理に適用される。
【００３７】
（リード）
本実施形態に適用されるリード３１は、例えば図５（ａ）〜（ｃ）に示すように、帯状（又は平板状）の絶縁性部材からなるリード部材３２を有し、当該リード部材３２の長手方向（図５（ａ）、（ｃ）の左右方向）に延在する一対の側辺に位置決め部３３が設けられている。具体的には、例えば図２（ｃ）、図５（ａ）、（ｃ）に示すように、リード部材３２に設けられるリード側の接点３５の近傍であって、リード部材３２の外周のうち、長手方向の両側辺の対向する位置に、マウスピース本体１１のリード組み付け部１３に設けられた凹状の位置決め部１３ａに嵌合又は係合するように、一対の凸状の位置決め部３３が設けられている。
【００３８】
また、リード部材３２の上面側には、例えば図５（ａ）に示すように、演奏者がマウスピース１０を口に銜えて演奏する際の唇の位置を検出するリップセンサや、リード３１への舌の接触状態を検出するためのタンセンサに使用されるセンサ電極３４が設けられている。
【００３９】
また、リード部材３２の下面側には、例えば図５（ｃ）に示すように、複数の電極パッドを有するリード側の接点３５が設けられている。接点３５の各電極パッドは、リード３１がマウスピース本体１１に組み付け固定された状態で、リード組み付け部１３のリード載置領域に露出して設けられた本体側の接点１５の複数の電極ピンに１対１の関係で電気的に接続するように設けられている。
【００４０】
また、接点３５の各電極パッドは、リード部材３２の上面側に設けられた各センサ電極３４に電気的に接続されている。具体的には、例えば図５（ｄ）に示すように、接点３５の各電極パッドが、リード部材３２の表面又は内部に配設された配線３６を介して、各センサ電極３４に１対１の関係で電気的に接続されている。これにより、リード３１に設けられたセンサ電極３４により検出される唇の位置や舌の接触状態に関するセンサ信号が、リード側の接点３５及び本体側の接点１５を介して、マウスピース本体１１側に設けられた電子回路１６により取得される。
【００４１】
（組み付け方法）
次に、本実施形態に係るマウスピースにおけるリードの組み付け方法（手順）について図面を参照して説明する。
図６は、本実施形態に係るマウスピースの組み付け方法の一例を示す図である。図６（ａ）は、マウスピース本体のリード組み付け部へのリードの載置方法を示す図であり、図６（ｂ）、（ｃ）は、マウスピース本体へのリードの組み付け固定方法を示す図である。
【００４２】
また、図７は、本実施形態に係るマウスピースの組み付け方法におけるフック部の係止機構を説明するための断面詳細図である。ここで、図７（ａ）〜（ｃ）に示した各断面図は、図３（ｃ）、（ｅ）に示したマウスピースにおけるIIIＣ−IIIＣ断面の構造を示す図である。図７（ａ）は、マウスピース本体のリード固定部をリード組み付け部から離間した位置に回動した状態（オープン状態）を示す断面図であり、図７（ｂ）は、リード固定部をリード組み付け部側に回動させている途中の状態（移行状態）を示す断面図であり、図７（ｃ）は、リード固定部のフック部がマウスピース本体側に係止された状態（ロック状態）を示す断面図である。
【００４３】
本実施形態に係るマウスピースの組み付け方法は、まず、図６（ａ）に示すように、マウスピース本体１１のリード固定部１４をリード組み付け部１３から離間する方向である開放端側に回動させて、リード組み付け部１３のリード載置領域の上方が開放された状態（オープン状態）に設定する。
【００４４】
次いで、図６（ａ）、（ｂ）に示すように、オープン状態に設定されたマウスピース本体１１のリード組み付け部１３にリード３１を載置して組み付ける。このとき、リード３１の凸状の位置決め部３３を、リード組み付け部１３の凹状の位置決め部１３ａに嵌合又は係合させ、かつ、リード部材３２の長手方向の両側辺をマウスピース本体１１から突出して設けられたガイド部１３ｂに接触させてリード３１を載置することにより、リード組み付け部１３におけるリード３１の組み付け位置が規定される。また、このとき、リード部材３２の下面側に設けられた接点３５の各電極パッドがリード組み付け部１３のリード載置領域に設けられた接点１５の各電極ピンに接触した状態に設定される。
【００４５】
次いで、図６（ｂ）、図７（ａ）に示すように、マウスピース本体１１のリード固定部１４を、リード組み付け部１３のリード載置領域に対向する方向であるロック端側に回動させて（図６（ｂ）中の矢印）、リード組み付け部１３に載置されたリード３１の上方に覆い被さる状態に移行させる。
【００４６】
そして、図７（ａ）、（ｂ）に示すように、リード固定部１４をリード３１方向にさらに押し下げることにより、図６（ｃ）、図７（ｃ）に示すように、リード固定部１４に設けられた一対のフック部２６がマウスピース本体１１の側面に設けられたフック係止部１１ａに係止されて、リード固定部１４の回動が制止されたロック状態に移行する。
【００４７】
ここで、リード固定部１４に設けられたフック部２６の係止機構について詳しく説明する。
まず、リード固定部１４がリード組み付け部１３から離間したオープン状態にあって、リード固定部１４に対して外部から力が加わっていない状態（初期状態）おいては、図７（ａ）に示すように、一対のフック部２６は、一端側に加わるスプリング２８の付勢力により、係止切欠部２６ａが設けられた他端側相互が近接した「閉状態」を保持する。すなわち、フック部２６の一端側はスプリング２８により、リード固定部１４の側部から外方向（図中の矢印Ｆ方向）に付勢されることにより、係止切欠部２６ａが設けられたフック部２６の他端側がリード固定部１４の内方向（図中の矢印Ｐ方向）に付勢された状態となる。
【００４８】
次いで、図６（ｂ）に示すように、リード固定部１４を回動させて、図７（ａ）、（ｂ）に示すように、リード固定部１４の押圧支援部１４ｄを指の腹等で押圧して（図中の矢印Ｈ）、リード固定部１４をリード３１方向に押し下げることにより、フック部２６の係止切欠部２６ａから他端側先端にかけて設けられた係止傾斜部２６ｂがマウスピース本体１１の側面に設けられたフック係止部１１ａに当接して摺動する。これにより、一対のフック部２６は、図７（ｂ）に示すように、他端側が係止傾斜部２６ｂの傾斜に沿って外方向（図中の矢印Ｑ方向）に押し広げられることにより、フック部２６がフック回転軸２７を中心にして回転して、フック部２６の一端側がスプリング２８の付勢力に対抗して内方向（図中の矢印Ｇ方向）に移動し、スプリング２８が圧縮される。
【００４９】
そして、リード固定部１４がリード３１方向にさらに押し下げられることにより、図７（ｃ）に示すように、フック部２６の他端側の係止傾斜部２６ｂを通過したマウスピース本体１１のフック係止部１１ａにフック部２６の係止切欠部２６ａが係止されて、リード固定部１４の回動が制止されたロック状態に移行する。
【００５０】
このロック状態においては、一対のフック部２６は、一端側が圧縮されたスプリング２８の復帰力により外方向（図中の矢印Ｆ方向）に付勢されることにより、係止切欠部２６ａが設けられた他端側が内方向（図中の矢印Ｐ方向）に常に付勢されて、他端側相互が近接した「閉状態」を保持する。これにより、リード固定部１４に対して外部から力が加わらない限り、フック部２６の係止切欠部２６ａがマウスピース本体１１のフック係止部１１ａに係止した状態が解除されることはなく、リード固定部１４の回動が制止された状態が保持される。
【００５１】
また、このロック状態においては、マウスピース本体１１のリード組み付け部１３に載置されたリード３１が、リード固定部１４のリード押圧部１４ｂにより所定の押圧力でリード載置領域に押し付けられて、リード部材３２の上下両面側から挟み込まれた状態で固定される。このとき、リード部材３２の下面側に設けられたリード側の接点３５の各電極パッドと、リード載置領域に設けられた本体側の接点１５の各電極ピンとの位置が一致又は対応するとともに、リード押圧部１４ｂによる押圧力で相互に密着して接触し、良好な電気的な接続状態が保持される。
【００５２】
また、このロック状態に移行する際には、リード固定部１４の上面側の他の部材よりも突出して設けられた押圧支援部１４ｄを押圧することにより、リード固定部１４に加えられた力がフック部２６に適切に伝達されて、上述したフック部２６がマウスピース本体１１側のフック係止部１１ａに係止する動作が良好に実現される。
【００５３】
一方、マウスピース本体１１からリード３１を取り外す際には、上述したリードの組み付け方法とは逆の手順を行う。まず、図７（ｃ）に示したロック状態においては、マウスピース本体１１のフック係止部１１ａにフック部２６の係止切欠部２６ａが係止して、リード固定部１４の回動が制止された状態にある。
【００５４】
次いで、図７（ｂ）に示すように、一対のフック部２６の一端側を、スプリング２８の付勢力に対抗して、リード固定部１４の左右側から内方向（図中の矢印Ｇ方向）に所定の力を加えることにより、他端側相互が離間する方向（図中の矢印Ｑ方向）に移動して、マウスピース本体１１のフック係止部１１ａへの一対のフック部２６の係止状態が解除される。このとき、リード固定部１４を持ち上げることにより、リード固定部１４の回動が可能な状態となる。あるいは、リード固定部１４は、リード押圧部１４ｂにより所定の押圧力でリード３１をリード載置領域に押し付けている状態にあるので、フック部２６の係止状態が解除されることにより、当該押圧力でリード押圧部１４ｂが浮き上がり、リード固定部１４の回動が可能な状態となる。
【００５５】
そして、リード固定部１４を持ち上げて開放端側に回動させて、リード組み付け部１３の上方が開放された状態（オープン状態）に移行させることにより、リード載置領域に載置されたリード３１が取り外される。
【００５６】
このように、本実施形態に係るマウスピースにおいては、マウスピース本体１１の所定の位置に載置して組み付けられたリード３１を固定するリード固定部１４を有し、リード固定部１４をリード３１方向に押圧して、リード固定部１４に設けられた一対のフック部２６をマウスピース本体１１側に係止させてロック状態にすることにより、リード３１がリード固定部１４とマウスピース本体１１とに挟み込まれた状態で固定される。また、リード３１がマウスピース本体１１に組み付け固定されたリード固定部１４のロック状態において、一対のフック部２６を左右側から内方向に所定の力を加えて、フック部２６の係止状態を解除してオープン状態にすることにより、マウスピース本体１１からリード３１が取り外される。
【００５７】
したがって、本実施形態によれば、電子管楽器のマウスピースにおいて、マウスピース本体に対するリード固定部の係止動作及び解除動作をワンタッチで制御して、リードを着脱することができるので、上述した背景技術に示したように、固定金具を締めたり弛めたりする作業を行う必要がなく、リードの交換作業や取り付け状態の調整を容易かつ適切に行うことができ、演奏者の利便性や表現力の向上に寄与することができる。
【００５８】
また、本実施形態に係るマウスピースにおいては、リード３１に設けられた位置決め部３３を、マウスピース本体１１に設けられた位置決め部１３ａに嵌合又は係合させることにより、リード３１の組み付け位置が規定されるとともに、リード側の位置決め部１３ａの近傍に配置された接点３５とマウスピース本体側の位置決め部１３ａの近傍に配置された接点１５との位置が一致又は対応する。
【００５９】
したがって、本実施形態によれば、リード３１を常にマウスピース本体１１の適切な位置に組み付けることができるとともに、リード３１とマウスピース本体１１間で良好に電気的な接続を実現することができる。
【００６０】
なお、本実施形態においては、リード３１をマウスピース本体１１の所定の位置に配置する構造として、リード組み付け部１３に凹状の位置決め部１３ａを設けるとともに、リード３１の長手方向の両側辺に当該位置決め部１３ａに嵌合又は係合する凸状の位置決め部３３を設けた構成を示したが、本発明はこれに限定されるものではない。すなわち、本発明は、リード組み付け部１３に凸状の位置決め部を設けるとともに、リード３１側に凹状の位置決め部を設けるものであってもよい。また、リード３１の長手方向の両側辺に一対の位置決め部３３を設けた構成に限定されるものではなく、いずれか一方の側辺、又は、両側辺に１乃至複数個の位置決め部を設けた構成を有するものであってもよい。また、リード組み付け部１３のリード載置領域の任意の位置に凸状の位置決め部を１乃至複数個設けるとともに、リード３１下面の対応する位置に凹状の位置決め部や、リード部材３２の対応する位置に貫通孔を１乃至複数個設けるものであってもよい。ここで、リード組み付け部１３側に凸部を設け、リード３１側の対応する位置に凹部又は貫通孔を設けた構成を適用する場合には、演奏者等がリード部材３２側の位置決め部を任意に削り加工することにより、マウスピース本体１１に対するリード３１の配置を微調整することができる。
【００６１】
また、本実施形態においては、リード３１の上面側（一面側）にセンサ電極３４を配置し、下面側（他面側）に接点３５を配置した構成を示したが、本発明はこれに限定されるものではない。例えばリード３１の上面側にセンサ電極３４と接点３５が配置されているものであってもよい。この場合には、例えばマウスピース本体１１のリード固定部１４に、リード側の接点３５に電気的に接続する接点が設けられた構成を適用することができる。
【００６２】
＜第２の実施形態＞
次に、本発明に係る電子管楽器に適用されるマウスピースの第２の実施形態について、図面を参照して詳しく説明する。
【００６３】
図８は、本発明に係る電子管楽器に適用されるマウスピースの第２の実施形態を示す外観図及び部品図である。ここで、図８（ａ）は、本実施形態に係るマウスピースの一例を示す斜視図であり、図８（ｂ）は、本実施形態に適用されるマウスピース本体の一例を示す斜視図であり、図８（ｃ）は、本実施形態に適用されるリードの一例を示す斜視図である。
【００６４】
また、図９は、本実施形態に係るマウスピースを示す詳細図である。ここで、図９（ａ）、（ｂ）、（ｃ）は、それぞれマウスピースの上面、側面、正面を示す図であり、図９（ｄ）は、図９（ａ）に示したマウスピースにおけるIXＤ−IXＤ断面（本明細書においては図９（ａ）中に示したローマ数字の「９」に対応する記号として便宜的に「IX」を用いる。）の構造を示す概略図である。
【００６５】
また、図１０は、本実施形態に適用されるリードを示す詳細図である。ここで、図１０（ａ）〜（ｃ）は、それぞれリードの上面（一面）、側面、下面（他面）を示す図である。
【００６６】
上述した第１の実施形態においては、マウスピース本体１１に設けられたリード固定部１４を回動させて、フック部２６によりマウスピース本体１１側に係止することにより、リード組み付け部１３に載置されたリード３１を上下両面側から挟み込んで固定する構造を有するマウスピース１０について説明した。
【００６７】
第２の実施形態においては、第１の実施形態に示した、マウスピース本体１１に対して回動するリード固定部１４に替えて、リード３１の長手方向に延在するリード固定部１４をマウスピース本体１１に備え、リード３１を長手方向の両側辺部分で挟み込んで固定する構造を有している。
【００６８】
第２の実施形態に係るマウスピース１０は、図８（ｂ）、（ｃ）に示すように、マウスピース本体１１と、リード３１と、を有し、これらが図８（ａ）、図９に示すように、マウスピース本体１１とリード３１とにより形成される吹込口１２ａにわずかな隙を有するように組み付けられている。
【００６９】
（マウスピース本体）
本実施形態に適用されるマウスピース本体１１は、例えば図８（ｂ）に示すように、大別して、開口部１２と、リード組み付け部１３と、リード固定部１４と、本体側の接点１５と、コネクタ部１７と、を有している。ここで、マウスピース本体１１の内部に設けられる電子回路や各種センサについては図示を省略した。また、開口部１２や本体側の接点１５、コネクタ部１７、電子回路、各種センサについては、上述した第１の実施形態と同等の構成を有しているので詳しい説明を省略する。ここで、リード組み付け部１３及びリード固定部１４は、本発明におけるリード組み付け固定部に対応する。
【００７０】
具体的には、図８（ｂ）に示すように、マウスピース本体１１のリード組み付け部１３のリード載置領域において、コネクタ部１７側（開口部１２が設けられた吹込口１２ａ側とは反対側）の領域には、リード３１の組み付け位置を規定する本体側の位置決め兼用係止部１３ｃと、リード３１に電気的に接続するための本体側の接点１５と、が設けられている。
【００７１】
位置決め兼用係止部１３ｃは、リード組み付け部１３にリード３１を組み付けた際に、後述するリード３１に使用されるリード部材３２の長手方向の一端側に設けられたリード側の位置決め兼用係止部３７が嵌合又は係合して係止するように設けられている。具体的には、例えば図８（ｂ）、（ｃ）に示すように、マウスピース本体１１のリード組み付け部１３のリード載置領域に設けられた本体側の接点１５の近傍であって、後述するリード固定部１４よりもコネクタ部１７側の位置に、リード３１側に設けられた凸状の位置決め兼用係止部３７が嵌合又は係合して係止（以下、本実施形態においては「係止」と略記する）するように、凹状の位置決め兼用係止部１３ｃが設けられている。これにより、リード組み付け部１３における本体側の接点１５近傍のリード３１の長手方向（図１０（ａ）、（ｃ）の左右方向）の組み付け位置が規定される。ここで、位置決め兼用係止部１３ｃは、本発明における係止機構部及び第２の位置決め部に対応する。
【００７２】
また、リード組み付け部１３には、上記の位置決め兼用係止部１３ｃに加え、例えば図８（ｂ）に示すように、上述した第１の実施形態と同様に、リード組み付け部１３のリード載置領域を挟んで対向する位置に、マウスピース本体１１から突出した一対のガイド部１３ｂが設けられている。これにより、リード組み付け部１３における開口部１２近傍のリード３１の短手方向（図１０（ａ）、（ｃ）の上下方向）の組み付け位置が規定される。
【００７３】
リード固定部１４は、例えば図８（ａ）、（ｂ）に示すように、リード組み付け部１３のリード載置領域を挟んで対向する位置に、マウスピース本体１１から相互に近接する方向に突出して設けられた一対の固定部材を有している。すなわち、リード固定部１４に使用される一対の固定部材は、それぞれ、リード３１の長手方向の両側辺部に沿って、マウスピース本体１１のリード載置領域上を部分的に覆うように庇状（又は逆Ｌ字状）に張り出して設けられ、リード固定部１４とリード組み付け部１３のリード載置領域との間に所定の空間が形成されている。これにより、リード３１がマウスピース本体１１に組み付け固定された状態においては、この空間にリード３１が密着して挿入されることにより、リード３１の長手方向の両側辺部周辺の上面及び側辺がリード固定部１４により挟み込まれて、リード３１の短手方向（図１０（ａ）、（ｃ）の上下方向）の組み付け位置が規定された状態でリード３１がリード組み付け部１３に固定される。
【００７４】
ここで、リード固定部１４に使用される固定部材は、図８（ａ）、（ｂ）に示したように、リード組み付け部１３に組み付け固定されるリード３１の長手方向に沿って、マウスピース本体１１の側部から連続的に突出した構成を適用できるほか、複数の部材が所定の位置から断続的に突出して設けられた構成を適用するものであってもよい。
【００７５】
（リード）
本実施形態に適用されるリード３１は、例えば図８（ｃ）、図１０に示すように、帯状のリード部材３２の長手方向（図１０（ａ）、（ｃ）の左右方向）の一端側の側辺に突出した位置決め兼用係止部３７が設けられている。具体的には、位置決め兼用係止部３７は、例えば図８（ａ）、図９（ｄ）に示すように、リード部材３２の外周のうち、長手方向の一端側の側辺から突出し、その先端部分が、マウスピース本体１１のリード組み付け部１３に設けられた凹状の位置決め兼用係止部１３ｃに係止するように、図１０（ｂ）に示すように、リード載置面である下面から下面方向（図１０（ｂ）の下方向）にさらに突出した凸形状を有している。ここで、リード３１に使用されるリード部材３２は、少なくともリード部材３２の一端側から突出して設けられる位置決め兼用係止部３７が所定の弾性力を有していることが望ましい。このような構成により、リード部材３２から突出する位置決め兼用係止部３７は、凸形状を有する先端部分が、リード載置面から下面方向（図１０（ｂ）の下方向）に常に付勢されて突出した状態を保持する。これにより、リード３１の位置決め兼用係止部３７がマウスピース本体１１の位置決め兼用係止部１３ｃに係止した状態が保持されて、リード３１がマウスピース本体１１に組み付け固定された状態が保持される。ここで、位置決め兼用係止部３７は、本発明における係止機構部及び第１の位置決め部に対応する。
【００７６】
また、リード部材３２の上面側には、例えば図１０（ａ）、（ｃ）に示すように、リップセンサやタンセンサに使用されるセンサ電極３４が設けられ、リード部材３２の下面側には、これらのセンサ電極３４に図示を省略した配線を介して電気的に接続されたリード側の接点３５が設けられている。ここで、接点３５は、例えば図８（ａ）、図９（ａ）に示すように、リード３１がマウスピース本体１１に組み付け固定された状態で、リード部材３２の長手方向の一端側に設けられた位置決め兼用係止部３７と、マウスピース本体１１に設けられたリード固定部１４との間の位置に設けられている。これにより、リード３１がマウスピース本体１１の所定の位置に組み付け固定されて、リード側の接点３５とマウスピース本体１１のリード載置領域に露出する本体側の接点１５との位置が一致又は対応することにより、両者が電気的に接続する。
【００７７】
（組み付け方法）
次に、本実施形態に係るマウスピースにおけるリードの組み付け方法（手順）について図面を参照して説明する。
図１１は、本実施形態に係るマウスピースの組み付け方法の一例を示す図である。図１１（ａ）、（ｂ）は、マウスピース本体のリード組み付け部へのリードの挿入方法を示す図であり、図１１（ｃ）は、マウスピース本体へのリードの組み付け固定方法を示す図である。
【００７８】
本実施形態に係るマウスピースの組み付け方法は、まず、図１１（ａ）、（ｂ）に示すように、マウスピース本体１１のリード組み付け部１３に設けられた開口部１２側からコネクタ部１７方向（図中の矢印方向）に、リード３１の長手方向を沿わせて移動させて、マウスピース本体１１から突出して設けられたリード固定部１４とリード組み付け部１３のリード載置領域との間の空間にリード部材３２を挿入する。このとき、リード部材３２の長手方向の両側辺部分は、リード固定部１４に挟み込まれるように接触するとともに、マウスピース本体１１から突出して設けられたガイド部１３ｂに接触する。これにより、リード組み付け部１３におけるリード３１の挿入方向が規定される。
【００７９】
そして、図１１（ｂ）に示すように、リード３１をさらに長手方向に移動させてリード組み付け部１３に挿入することにより、図９（ｄ）、図１１（ｃ）に示すように、リード３１の凸状の位置決め兼用係止部３７がマウスピース本体１１の凹状の位置決め兼用係止部１３ｃに係止して、リード３１の移動が制止されたロック状態に移行する。
【００８０】
このロック状態においては、リード部材３２の一端側から突出して設けられる位置決め兼用係止部３７がリード載置面から下面方向（すなわち、マウスピース本体１１の内部方向）に付勢されることにより、リード３１側の位置決め兼用係止部３７がマウスピース本体１１側の位置決め兼用係止部１３ｃに係止した状態を保持する。これにより、リード３１の位置決め兼用係止部３７に対して外部から力が加わらない限り、位置決め兼用係止部３７がマウスピース本体１１の位置決め兼用係止部１３ｃに係止した状態が解除されることはなく、リード３１がマウスピース本体１１に組み付け固定された状態が保持される。
【００８１】
また、このロック状態においては、リード３１の長手方向の両側辺部分がリード固定部１４に挟み込まれるとともに、ガイド部１３ｂに接触することにより、リード組み付け部１３におけるリード３１の組み付け位置が規定されるとともに、リード３１がマウスピース本体１１の所定の位置に組み付け固定される。さらに、このとき、リード部材３２の下面側に設けられた接点３５とリード載置領域に設けられた接点１５との位置が一致又は対応することにより、両者が電気的に接続される。
【００８２】
一方、マウスピース本体１１からリード３１を取り外す際には、上述したリードの組み付け方法とは逆の手順を行う。まず、図１１（ｃ）に示した組み付け固定状態において、リード３１に対してマウスピース１０の吹込口１２ａ方向に移動させるようにリード３１に所定の力を加える。あるいは、マウスピース本体１１の位置決め兼用係止部１３ｃに係止した位置決め兼用係止部３７を持ち上げた状態で、リード３１を移動させるように所定の力を加える。これにより、リード３１側の位置決め兼用係止部３７がマウスピース本体１１側の位置決め兼用係止部１３ｃに係止した状態が解除されて、リード３１をマウスピース１０の吹込口１２ａ方向に移動させることが可能になり、マウスピース本体１１からリード３１が取り外される。
【００８３】
このように、本実施形態に係るマウスピースにおいては、マウスピース本体１１に、リード３１側の位置決め兼用係止部３７が係止する位置決め兼用係止部１３ｃと、リード３１の両側辺部分を挟み込むリード固定部１４とを有している。そして、マウスピース本体１１に対してリード３１を長手方向にスライドさせて組み付け、リード３１側の位置決め兼用係止部３７を位置決め兼用係止部１３ｃに係止してリード３１の移動を制止することにより、リード３１がリード固定部１４とマウスピース本体１１とに挟み込まれた状態で固定される。また、マウスピース本体１１に組み付け固定されたリード３１を、組み付け時とは逆方向となる長手方向にスライドさせるように力を加えることにより、マウスピース本体１１からリード３１が取り外される。
【００８４】
したがって、本実施形態によれば、電子管楽器のマウスピースにおいて、マウスピース本体に対してリードをスライドさせることにより、リードを適切な位置に組み付け固定したり、取り外したりすることができるので、リードの交換作業や取り付け状態の調整を容易かつ適切に行うことができ、演奏者の利便性や表現力の向上に寄与することができる。
【００８５】
なお、本実施形態においては、リード３１をマウスピース本体１１の所定の位置に組み付け固定する構造として、リード組み付け部１３に凹状の位置決め兼用係止部１３ｃを設けるとともに、リード３１の長手方向の一端側に当該位置決め兼用係止部１３ｃに係止する凸状の位置決め兼用係止部３７を設けた構成を示したが、本発明はこれに限定されるものではない。すなわち、本発明は、リード組み付け部１３に凸状の位置決め兼用係止部を設けるとともに、リード３１側に凹状又は貫通孔からなる位置決め兼用係止部を設けるものであってもよい。また、リード組み付け部１３及びリード３１に設けられる位置決め兼用係止部は、１個に限定されるものではなく、複数個設けるものであってもよい。ここで、リード組み付け部１３側に凸状の位置決め兼用係止部を設け、リード３１側の対応する位置に凹状又は貫通孔からなる位置決め兼用係止部を設けた構成を適用する場合には、演奏者等がリード部材３２側の位置決め兼用係止部を任意に削り加工することにより、マウスピース本体１１に対するリード３１の配置を微調整することができる。
【００８６】
また、本実施形態においては、マウスピース本体１１へのリード３１の組み付け方法として、マウスピース本体１１の開口部１２側からコネクタ部１７方向にリード３１をスライドさせる場合について説明したが、本発明はこれに限定されるものではない。すなわち、本発明は、マウスピース本体１１のコネクタ部１７側から開口部１２方向にリード３１をスライドさせて、マウスピース本体１１にリード３１を組み付けるものであってもよい。
【００８７】
また、上述した各実施形態においては、マウスピース本体１１とリード３１とを電気的に接続するための本体側の接点１５を、リード組み付け部１３に設けられる位置決め部１３ａや位置決め兼用係止部１３ｃ、リード固定部１４の近傍に配置した構成を示したが、本発明はこれに限定されるものではない。すなわち、本発明は、リード３１がマウスピース本体１１に組み付け固定された状態で、本体側の接点１５とリード側の接点３５の位置が一致又は対応して、両者が良好に電気的に接続するものであれば、本体側の接点１５やリード側の接点３５を他の位置に配置してもよい。
【００８８】
以上、本発明のいくつかの実施形態について説明したが、本発明は、上述した実施形態に限定されるものではなく、特許請求の範囲に記載された発明とその均等の範囲とを含むものである。
以下に、本願出願の当初の特許請求の範囲に記載された発明を付記する。
【００８９】
（付記）
［１］
マウスピース本体に組み付けるリードにおいて、
前記リードに含まれるリード部材に、前記マウスピース本体の所定の位置に着脱可能に組み付けるための位置決め部が設けられていることを特徴とするリード。
【００９０】
［２］
前記位置決め部は、前記リード部材の外周となる側辺に設けられていることを特徴とする［１］に記載のリード。
【００９１】
［３］
前記リード部材は、帯状の絶縁性部材を有し、
前記位置決め部は、前記リード部材の長手方向に延在する一対の前記側辺に設けられていることを特徴とする［２］に記載のリード。
【００９２】
［４］
前記位置決め部は、前記リード部材の前記側辺から突出した形状を有していることを特徴とする［２］又は［３］に記載のリード。
【００９３】
［５］
前記リード部材に、センサ電極と、前記センサ電極に電気的に接続された接点とを有し、
前記接点は、前記位置決め部の近傍に設けられ、前記マウスピース本体に組み付けた状態で、前記マウスピース本体と電気的に接続することを特徴とする［１］乃至［４］のいずれかに記載のリード。
【００９４】
［６］
マウスピース本体にリードを組み付け可能な構造を有するマウスピースにおいて、
所定の力を加えることにより係止状態を解除可能な係止機構部を備え、前記係止機構部が前記マウスピース本体に係止することにより、前記リードを前記マウスピース本体に着脱可能に組み付け固定するリード組み付け固定部を有することを特徴とするマウスピース。
【００９５】
［７］
前記リード組み付け固定部は、前記マウスピース本体に対して回動し、前記リード組み付け固定部と前記マウスピース本体とにより、前記リードに含まれるリード部材を一面及び他面の両面側から挟み込んだ状態で組み付け固定することを特徴とする［６］記載のマウスピース。
【００９６】
［８］
前記リード組み付け固定部は、前記係止機構部として、前記リードを前記マウスピース本体に組み付け固定した状態で、前記マウスピース本体に係止して、前記リード組み付け固定部の回動状態を制止するフック部を有していることを特徴とする［７］に記載のマウスピース。
【００９７】
［９］
前記リード組み付け固定部は、前記リードを前記マウスピース本体に組み付け固定した状態で、前記リードを所定の押圧力で前記マウスピース本体に押し付けるリード押圧部を有していることを特徴とする［７］又は［８］に記載のマウスピース。
【００９８】
［１０］
前記リード組み付け固定部は、前記マウスピース本体に係止する動作、及び、前記リード組み付け固定部と前記マウスピース本体とにより、前記リードを挟み込む動作を支援するための押圧支援部を有することを特徴とする［７］乃至［９］のいずれかに記載のマウスピース。
【００９９】
［１１］
前記リードは、第１の位置決め部を有し、
前記マウスピース本体は、前記リードの前記第１の位置決め部に嵌合又は係合する第２の位置決め部を有し、
前記第１の位置決め部が前記第２の位置決め部に嵌合又は係合することにより、前記リードを前記マウスピース本体の所定の位置に組み付け、前記リード組み付け固定部と前記マウスピース本体とにより前記リードを挟み込んだ状態で前記マウスピース本体に固定することを特徴とする［７］乃至［１０］のいずれかに記載のマウスピース。
【０１００】
［１２］
前記リード組み付け固定部は、特定の方向に挿入された前記リードに含まれるリード部材を、前記特定の方向の両側辺部分で挟み込んだ状態で組み付け固定することを特徴とする［６］に記載のマウスピース。
【０１０１】
［１３］
前記リードは、第１の位置決め部を有し、
前記マウスピース本体は、前記リードの前記第１の位置決め部に嵌合又は係合する第２の位置決め部を有し、
前記第１の位置決め部が前記第２の位置決め部に嵌合又は係合して係止することにより、前記リード組み付け固定部に挿入された前記リードを前記マウスピース本体の所定の位置に組み付け固定することを特徴とする［１２］に記載のマウスピース。
【０１０２】
［１４］
前記マウスピース本体は、息の吹込口側に設けられた開口部と、前記開口部内に配置された圧力センサと、一端側が前記開口部から突出し、他端側が前記圧力センサに接続されたセンサレバーと、を有し、
前記リードが前記マウスピース本体に組み付け固定された状態で、前記センサレバーの前記一端側が前記リードに当接し、前記リードに加わる圧力が前記センサレバーを介して前記圧力センサに伝達されることを特徴とする［６］乃至［１３］のいずれかに記載のマウスピース。
【０１０３】
［１５］
前記［６］乃至［１４］のいずれかに記載のマウスピースが、楽器本体に取り付けられていることを特徴とする電子管楽器。
【符号の説明】
【０１０４】
１０      マウスピース
１１      マウスピース本体
１１ａ    フック係止部
１２      開口部
１２ａ    吹込口
１３      リード組み付け部
１３ａ    位置決め部
１３ｂ    ガイド部
１３ｃ    位置決め兼用係止部
１４      リード固定部
１４ｂ    リード押圧部
１４ｄ    押圧支援部
１５      接点
２１      噛み圧センサ
２２      センサレバー
２６      フック部
２６ａ    係止切欠部
３１      リード
３２      リード部材
３３      位置決め部
３４      センサ電極
３５      接点
３７      位置決め兼用係止部
１００    電子管楽器
【図１】
2018049051.tif 000003
【図２】
2018049051.tif 000004
【図３】
2018049051.tif 000005
【図４】
2018049051.tif 000006
【図５】
2018049051.tif 000007
【図６】
2018049051.tif 000008
【図７】
2018049051.tif 000009
【図８】
2018049051.tif 000010
【図９】
2018049051.tif 000011
【図１０】
2018049051.tif 000012
【図１１】
2018049051.tif 000013